(57)【特許請求の範囲】
【請求項１】
歯顎顔面領域を含むＸ線吸収係数の３次元分布情報を基にして、この歯顎顔面領域のＸ線画像を２次元画面上に表示する表示方法であって、
前記２次元画面の中央部に、前記歯顎顔面領域のＸ線パノラマ画像を配置し、このＸ線パノラマ画像の周囲に前記歯顎顔面領域の部分画像として、前記歯顎顔面領域の部分的な歯牙植え立て部位の画像を解剖学的な配置に従って複数配置することを特徴とする歯顎顔面領域のＸ線画像の表示方法。
【請求項２】
請求項１に記載の表示方法において、
前記部分画像の内、任意の部分画像を選択することにより、選択された画像のみを拡大表示するようにしたことを特徴とする、歯顎顔面領域のＸ線画像の表示方法。
【請求項３】
請求項２に記載の表示方法において、
前記選択された画像のみを拡大表示するようにした際には、選択されなかった部分画像及び前記Ｘ線パノラマ画像を縮小表示するようにしたことを特徴とする歯顎顔面領域のＸ線画像の表示方法。
【請求項４】
歯顎顔面領域を含むＸ線吸収係数の３次元分布情報を基にして、この歯顎顔面領域のＸ線画像を２次元画面上に表示する表示装置であって、
前記３次元分布情報を基にして、前記歯顎顔面領域のＸ線パノラマ画像及び部分画像を生成する画像生成手段を備え、
前記２次元画面の中央部に前記Ｘ線パノラマ画像を配置し、このＸ線パノラマ画像の周囲に前記歯顎顔面領域の部分画像として、前記歯顎顔面領域の部分的な歯牙植え立て部位の画像を解剖学的な配置に従って複数配置することを特徴とする歯顎顔面領域のＸ線画像の表示装置。
【請求項５】
請求項４に記載の表示装置において、
前記部分画像の内、任意の部分画像を選択することにより、選択された画像のみを拡大表示するようにしたことを特徴とする歯顎顔面領域のＸ線画像の表示装置。
【請求項６】
請求項５に記載の表示装置において、
前記選択された画像のみを拡大表示するようにした際には、選択されなかった部分画像及び前記Ｘ線パノラマ画像を縮小表示するようにしたことを特徴とする歯顎顔面領域のＸ線画像の表示装置。
【請求項７】
歯顎顔面領域を含むＸ線吸収係数の３次元分布情報を基にして、この歯顎顔面領域のＸ線画像を２次元画面上に表示する表示方法を実現するプログラムを記録した記録媒体であって、
前記３次元分布情報を基にして、前記歯顎顔面領域のＸ線パノラマ画像及び部分画像を生成するステップと、前記２次元画面の中央部に前記Ｘ線パノラマ画像を配置するステップと、このＸ線パノラマ画像の周囲に前記歯顎顔面領域の部分画像として、前記歯顎顔面領域の部分的な歯牙植え立て部位の画像を解剖学的な配置に従って複数配置するステップとからなる歯顎顔面領域のＸ線画像の表示方法を実現するプログラムを記録した記録媒体。
【請求項８】
請求項７に記載の記録媒体において、
更に、前記部分画像の内、任意の部分画像を選択することにより、選択された画像のみを拡大表示するステップからなる歯顎顔面領域のＸ線画像の表示方法を実現するプログラムを記録した記録媒体。
【請求項９】
請求項８に記載の記録媒体において、
前記選択された画像のみを拡大表示するステップには、選択されなかった部分画像及び前記Ｘ線パノラマ画像を縮小表示するステップを含むことを特徴とする歯顎顔面領域のＸ線画像の表示方法を実現するプログラムを記録した記録媒体。
【発明の詳細な説明】
【０００１】
【発明の属する技術分野】
本発明は、歯顎顔面領域を含むＸ線吸収係数の３次元分布情報を基にして、この歯顎顔面領域のＸ線画像を２次元画面上に表示する表示方法、表示装置、この表示方法を実現するプログラムを記録した記録媒体に関する。
【０００２】
【従来の技術】
ＣＴ撮影などして得られた歯顎顔面領域などの３次元分布情報を再構成して、この歯顎顔面領域のＸ線画像を２次元画面上に表示する方法は、種々のものが提案されているが、従来のものは、単純に全体のＸ線パノラマ画像だけを表示するものであった。
【０００３】
【発明が解決しようとする課題】
しかしながら、このような表示では、歯顎顔面領域の一部分だけの拡大図を見たい場合に、Ｘ線パノラマ画像の全体を拡大して、スクロールさせて希望する部分を表示させるようにするなど、煩雑な手間を要していた。
また、歯顎顔面領域については、その部分や全体について、ＣＴ撮影だけでなく、口内法によるＸ線画像や、口腔カメラなどによる表面画像、また、３次元分布情報を再構成して得られる種々の断層面の画像、クロスセクションの画像などが蓄積され、また、必要に応じて見ることができるようにされているのに、これらの画像を、歯顎顔面領域全体のＸ線パノラマ画像に対応させて、参照することができるようにしたものはなかった。
【０００４】
本発明は、このような事情に鑑みてなされたものであり、歯顎顔面領域を含むＸ線吸収係数の３次元分布情報を基にして、この歯顎顔面領域のＸ線パノラマ画像を２次元画面上に表示すると共に、希望する部分の拡大図や、蓄積されている種々の画像を簡単に参照することができる表示方法、表示装置、この表示方法を実現するプログラムを記録した記録媒体を提供することを目的とする。
【０００５】
【課題を解決するための手段】
上記課題を解決するために本出願人が提案する発明は、得られた歯顎顔面領域を含むＸ線吸収係数の３次元分布情報を基にして、この歯顎顔面領域のＸ線パノラマ画像を２次元画面上に表示させ、同時に、この歯顎顔面領域を適宜分割して部分画像を作成し、作成された部分画像、又は口内法によるＸ線画像に基づく部分画像を全体のＸ線パノラマ画像の周囲に部分位置に対応させながら、つまり、解剖学的な配置に従って配置して表示し、この部分画像をいわば歯顎顔面領域のそれぞれの部分を示すインデックスとして用いることによって、それぞれの部分の拡大図、所望の断層面画像、クロスセクションの画像、口内法によるＸ線画像や、口腔カメラなどによる表面画像を表示されるようにしたもので、請求項１から３で、その表示方法を、請求項４から６で表示装置を、請求項７から９で、その表示方法を実現するプログラムを記録した記録媒体を提案している。
【０００６】
特に、請求項１に記載の歯顎顔面領域のＸ線画像の表示方法は、歯顎顔面領域を含むＸ線吸収係数の３次元分布情報を基にして、この歯顎顔面領域のＸ線画像を２次元画面上に表示する表示方法であって、前記２次元画面の中央部に、前記歯顎顔面領域のＸ線パノラマ画像を配置し、このＸ線パノラマ画像の周囲に前記歯顎顔面領域の部分画像として、前記歯顎顔面領域の部分的な歯牙植え立て部位の画像を解剖学的な配置に従って複数配置することを特徴とする。
【０００７】
この表示方法は、上述した本発明の表示方法の基本となるもので、歯顎顔面領域のＸ線パノラマ画像だけでなく、その周りに歯顎顔面領域の部分画像を解剖学的な配置に従って複数配置しており、これらの部分画像が、この歯顎顔面領域の分割態様を示し、この部分画像から関連する画像を選択する際のインデックスとなり、関連する画像の参照が視覚的に把握しやすいものとなる。
【０００８】
なお、こうして表示された歯顎顔面領域のＸ線パノラマ画像とその周囲に複数配置された部分画像の全体を合成配置画像という。
【０００９】
請求項２に記載の歯顎顔面領域のＸ線画像の表示方法は、請求項１に記載の表示方法において、前記部分画像の内、任意の部分画像を選択することにより、選択された画像のみを拡大表示するようにしたことを特徴とする。
【００１０】
この表示方法は、部分画像をクリックなどして選択することによって、この部分画像を拡大表示するようにしたもので、歯顎顔面領域の全体画像の中から、希望の部分の拡大画像を、簡単に表示させることができる。
【００１１】
この場合表示される拡大画像は、この部分画像の単純な拡大画像だけでなく、この歯顎顔面領域の部分について蓄積されている種々の画像、例えば、所望の断層面画像、クロスセクションの画像、口内法によるＸ線画像や、口腔カメラなどによる表面画像であってもよい。
【００１２】
請求項３に記載の歯顎顔面領域のＸ線画像の表示方法は、請求項２に記載の表示方法において、前記選択された画像のみを拡大表示するようにした際には、選択されなかった部分画像及び前記Ｘ線パノラマ画像を縮小表示するようにしたことを特徴とする。
【００１３】
この表示方法は、請求項２に加え、部分画像について拡大表示する際には、元の合成配置画像を縮小表示させるものである。このようにすると、拡大された部分画像がより際だって表示され、画像の把握がし易くなる．
また、拡大された部分画像と縮小された合成配置画像が、２次元画面上で重なりなく表示されるように、双方の拡大率、縮小率を調整し、縮小された合成配置画像において、拡大された部分画像の元の部分画像を異なる態様で表示されるようにすると、全体の中のどの部分が拡大表示されているのかが、明確に解り、対応関係の判断ミスを避けることができる。
【００１４】
請求項４に記載の歯顎顔面領域のＸ線画像の表示装置は、歯顎顔面領域を含むＸ線吸収係数の３次元分布情報を基にして、この歯顎顔面領域のＸ線画像を２次元画面上に表示する表示装置であって、前記３次元分布情報を基にして、前記歯顎顔面領域のＸ線パノラマ画像及び部分画像を生成する画像生成手段を備え、前記２次元画面の中央部に前記Ｘ線パノラマ画像を配置し、このＸ線パノラマ画像の周囲に前記歯顎顔面領域の部分画像として、前記歯顎顔面領域の部分的な歯牙植え立て部位の画像を解剖学的な配置に従って複数配置することを特徴とする。この表示装置は、請求項１に記載の表示方法を実現するもので、請求項１と同様の効果を発揮する。
【００１５】
請求項５に記載の歯顎顔面領域のＸ線画像の表示装置は、請求項４に記載の表示装置において、前記部分画像の内、任意の部分画像を選択することにより、選択された画像のみを拡大表示するようにしたことを特徴とする。
【００１６】
この表示装置は、請求項２に記載の表示方法を実現するもので、請求項２と同様の効果を発揮する。
【００１７】
請求項６に記載の歯顎顔面領域のＸ線画像の表示装置は、請求項５に記載の表示装置において、前記選択された画像のみを拡大表示するようにした際には、選択されなかった部分画像及び前記Ｘ線パノラマ画像を縮小表示するようにしたことを特徴とする。この表示装置は、請求項３に記載の表示方法を実現するもので、請求項３と同様の効果を発揮する。
【００１８】
請求項７に記載の記録媒体は、歯顎顔面領域を含むＸ線吸収係数の３次元分布情報を基にして、この歯顎顔面領域のＸ線画像を２次元画面上に表示する表示方法を実現するプログラムを記録した記録媒体であって、前記３次元分布情報を基にして、前記歯顎顔面領域のＸ線パノラマ画像及び部分画像を生成するステップと、前記２次元画面の中央部に前記Ｘ線パノラマ画像を配置するステップと、このＸ線パノラマ画像の周囲に前記歯顎顔面領域の部分画像として、前記歯顎顔面領域の部分的な歯牙植え立て部位の画像を解剖学的な配置に従って複数配置するステップとからなる。
【００１９】
この記録媒体は、請求項１の表示方法を実現するプログラムを記録したもので、この記録媒体の内容を読み込み、実現可能な装置に装填することで、請求項１と同様の効果を発揮する。
【００２０】
請求項８に記載の記録媒体は、請求項７に記載の記録媒体において、更に、前記部分画像の内、任意の部分画像を選択することにより、選択された画像のみを拡大表示するステップからなる歯顎顔面領域のＸ線画像の表示方法を実現するプログラムを記録している。
【００２１】
この記録媒体は、請求項２の表示方法を実現するプログラムを記録したもので、この記録媒体の内容を読み込み、実現可能な装置に装填することで、請求項２と同様の効果を発揮する。
【００２２】
請求項９に記載の記録媒体は、請求項８に記載の記録媒体において、前記選択された画像のみを拡大表示するステップには、選択されなかった部分画像及び前記Ｘ線パノラマ画像を縮小表示するステップを含むことを特徴とする歯顎顔面領域のＸ線画像の表示方法を実現するプログラムを記録している。
【００２３】
この記録媒体は、請求項３の表示方法を実現するプログラムを記録したもので、この記録媒体の内容を読み込み、実現可能な装置に装填することで、請求項３と同様の効果を発揮する。
【００２４】
【発明の実施の形態】
以下、添付図とともに、本発明の実施の形態について説明する。
【００２５】
図１は、本発明のＸ線画像の表示方法によって表示された２次元画面の一例を示す図である。
【００２６】
図において、３は２次元画面、ＩＰは歯顎顔面領域のＸ線パノラマ画像、ＩＳａはＸ線パノラマ画像ＩＰで表示された歯顎顔面領域の部分的な歯牙植え立て部位の画像、ＩＳｂｃはＸ線パノラマ画像ＩＰで表示された歯顎顔面領域の顎関節部分の画像ＩＳｂの内、その閉口状態を示す画像、ＩＳｂｏはＸ線パノラマ画像ＩＰで表示された歯顎顔面領域の顎関節部分の画像ＩＳｂの内、その開口状態を示す画像であり、この例では、顎関節部分の画像ＩＳｂと部分的な歯牙植え立て部位の画像ＩＳａとが、歯顎顔面領域の部分画像ＩＳを構成している。
【００２７】
上述のＸ線パノラマ画像ＩＰと、その周囲に表示された部分的な歯牙植え立て部位の画像ＩＳａ、顎関節部分の画像ＩＳｂとで構成される部分画像ＩＳとを併せて合成配置画面Ｉと言う。
【００２８】
この２次元画面３に表示された合成配置画面Ｉは、中央にＸ線パノラマ画像ＩＰを配置し、このＸ線パノラマ画像ＩＰの周囲に歯顎顔面領域の部分画像ＩＳを解剖学的な配置に従って、つまり、部分画像ＩＳの位置に対応させて部分画像ＩＳが複数配置されている。なお、この部分画像ＩＳは、後述するように、口内法で撮影したＸ線画像に基づいた部分画像の場合もある。
【００２９】
したがって、これらの部分画像ＩＳが、この歯顎顔面領域の分割態様を示し、この部分画像ＩＳから関連する画像を選択する際のインデックスとなり、関連する画像の参照が視覚的に把握しやすいものとなる。
【００３０】
より詳しくは、上顎、下顎の歯列弓を構成する歯牙の植え立て部位の画像ＩＳａは、前歯を中心として、左右にほぼ線対称状態で、３から４本毎に重複を厭わずに臼歯の方へ向かって順に、また、上下に分けて表示されている。
【００３１】
こうして、部分画像ＩＳとして、通常の歯科診療の際に最も普通に参照される歯牙の植え立て部位の画像ＩＳａを採用しているので、歯科診療に好適である。
【００３２】
また、Ｘ線パノラマ画像ＩＰの両顎部に対応させて、上顎と下顎の嵌合部である顎関節部分の画像ＩＳｂが左右に分けて表示されており、部分画像ＩＳとして、上記と同様に、通常の歯科診療の際に最も普通に参照される顎関節部分の画像を採用しているので、歯科診療に好適である。
【００３３】
更に、顎関節部分の画像ＩＳｂについては、その閉口状態の図ＩＳｂｃと開口状態の図ＩＳｂｏが上下に対比されて表示されているので、顎関節診療に好適である。
【００３４】
このような合成配置画面Ｉにおいて、歯顎顔面領域の部分画像ＩＳを解剖学的な配置に従って単に表示しているだけでなく、これらの部分画像ＩＳは、この部分に関連する画像を参照するためのインデックスとなっている。つまり、例えば、この図において、カーソル３ａが示されている植え立て部位の画像ＩＳａ、下顎の植え立て部位の画像ＩＳａの内、左から２番目の画像ＩＳａをクリックして選択すると、図２のように画像が表示される。
【００３５】
なお、これより、これまで説明した部分と同じ部分については、同じ符号を付して、重複説明を省略する。
【００３６】
この図２では、選択された画像ＩＳａを拡大した画像ＩＳＡが表示され、この拡大された部分画像ＩＳＡには、更に、「９５．０４．０３」という、この部分画像ＩＳＡ、つまり、全体のＸ線パノラマ画像ＩＰの撮影日付が表示され、更に、右側に右向きの三角印が表示されている。
【００３７】
この三角印は、古いＸ線パノラマ画像のデータがあることを示しており、この右向きの三角印をクリックすると、この部分の古い撮影の画像が表示される。
【００３８】
また、この図２において、２次元画面３の上部の枠内に、数字、「２」、「３」、「４」が表示されているが、これらの数字は、部分画像の拡大率を示しており、この例では、数字「２」が斜線表示で選択されていることを示し、拡大された画像ＩＳＡは、元の部分画像ＩＳａの２倍の倍率で拡大表示されている。
【００３９】
一方、図１において、上顎の部分画像ＩＳａの内、真ん中の前歯部分の画像ＩＳａをクリックして、図３のように表示させることもできる。
【００４０】
この図３では、拡大された画像ＩＳＡは図２と同じように２倍の拡大表示がされ、これに対し、元の合成配置画像Ｉは縮小され、かつ、２次元画面３上で拡大された画像ＩＳＡと縮小された合成配置画像Ｉとが重ならないような位置関係で表示されている。これは、２次元画面３の上部の枠内の「重なりなし」というボタンをクリックして、重なりなしモードとなっているからである。このようにすると、拡大された部分画像がより際だって表示され、画像の把握がし易くなる．
また、元の合成配置画像Ｉは小さく表示されるが、図２のように、拡大された画像ＩＳＡによって一部が見えなくなることなく、全体が表示され、この合成配置画像Ｉにおいて、拡大された画像ＩＳＡが、どの部分画像ＩＳａの拡大であるかを斜線で示され、全体の中のどの部分が拡大表示されているのかが、明確に解り、対応関係の判断ミスを避けることができる。
【００４１】
一方、図２の状態で、２次元画面３の上部の枠内の「クロス」をクリックし、倍率の「３」をクリックすると、図４のような表示がされる。
【００４２】
この「クロス」というのは、クロスセクションの断層面画像を表示するという意味であり、ここでは、選択された部分画像ＩＳａに含まれる歯牙について、歯列弓の中心線に垂直な断層面による断層面画像が３倍の倍率で表示されている。
【００４３】
この拡大された部分画像ＩＳＡでも、図２と同様に、日付表示「９５．０４．０３」と、左右向きの三角印が表示されている。この場合、この左右向きの三角印は、この部分の新旧の画像を示すのではなく、この部分を所定間隔のクロスセクション（垂直断層面）で切断した断層面画像を順次表示することができるようにしている。つまり、右向き三角印をクリックすると、順次、右隣りのクロスセクション画像が表示され、左向き三角印をクリックすると、順次、左隣りのクロスセクション画像が表示される。
【００４４】
一方、２次元画面３の上部の枠内の「口内法」をクリックすると、選択された部分画像ＩＳａに含まれる歯牙についての口内法で撮影された画像がある場合には、同様な表示方法で口内法で撮影された歯牙のＸ線画像が表示され、ない場合には、クリックしても、所望の画像は表示されない。このように所望の画像がない場合には、所定の警告音を鳴動させるか、「この画像はありません」などの表示をさせるようにしてもよい。また、「口内法」という表示自体について、画像がある場合とない場合とで、異なる色彩表示をするなど表示態様を異ならせ、操作者が無駄な選択をしないで済むようにすることも可能である。
【００４５】
拡大表示される画像は、この部分画像の単純な拡大画像だけでなく、この歯顎顔面領域の部分について蓄積されている種々の画像、例えば、所望の断層面画像、クロスセクションの画像、口内法によるＸ線画像や、口腔カメラなどによる表面画像であってもよく、こうして蓄積されている画像の参照が非常に簡単にすることができ、画像の有効利用を図ることができる。
【００４６】
図５は、本発明のＸ線画像の表示方法によって表示された画面の他例を示す図である。
【００４７】
この画面では、図１のものに比べて、Ｘ線パノラマ画像ＩＰの上下に、歯列弓を構成するそれぞれの歯牙を所定の記号で示す歯式Ｓを表示している点が異なっている。このような歯式Ｓを表示しておくと、歯科診療において一般に用いられるもので、術者にとっては、歯牙を特定するのに最も普通に用いられるものであるので、歯牙の把握が直感的に解りやすい。
【００４８】
この画面で、配置表示された部分画像ＩＳａを選択する代わりに、歯式Ｓの数字をクリックして、拡大表示させる部分画像ＩＳａを選択することができるようにもできる。この場合、選択された数字の歯牙を中心付近に含む部分画像ＩＳａが選択されたと判断すればよい。
【００４９】
なお、ここで例として示した歯式Ｓは、ＩＳＯ（国際標準化機構）の国際規格によるものであるが、これに限るものではないことはもちろんである。
【００５０】
図６は、本発明のＸ線画像の表示方法によって表示された画面の更に他例を示す図である。
【００５１】
この図６の表示は、図１において、「口内法」の枠をクリックすると表示されるもので、図１と異なり、部分画像ＩＳａは口内法で撮影し蓄積されているものだけが示されている。
【００５２】
このようにすると、過去に口内法で撮影した患者について、口内法で撮影したＸ線画像だけから抽出して目的の部分の拡大部分画像を見たい場合に便利である。
【００５３】
この場合も同様に、表示された部分画像ＩＳａの内、拡大して見たいものをクリックすると、その部分画像ＩＳａが図２と同様に拡大表示される。また、この拡大表示には、撮影日付と同時に、古い画像や新しい画像の有無が左右向きの三角印で表示されるので、これを更にクリックすることで、例えば、その部分の治療前、治療中、治療後の画像を順次表示させることができ、診療や治療に便利である。
【００５４】
図７（ａ）は、本発明のＸ線画像の表示装置の一例を示す外観正面図、図７（ｂ）は要部ブロック図である。
【００５５】
このＸ線画像の表示装置１０は、装置全体を制御し処理する中央処理装置１、この中央処理装置１へのデータの入出力を管理する入出力部２、この入出力部２からのデータを受けて表示する２次元画面３、データや操作指示の入力を受け入れるマウス４Ａとキーボード４Ｂとからなるキーボード／マウス４、外部から、まとまったプログラムや、ＣＴ撮影で得られた３次元領域の３次元ＣＴデータなどのデータの入力を受け入れ、外部へ、装置１０で作成したデータを出力する補助入出力装置５、装置１０の制御に必要なプログラムや関連データを保存する記憶部６、歯顎顔面領域を含むＸ線吸収係数の３次元分布情報からＸ線パノラマ画像や、所望の断層面の断層面画像を生成する画像生成手段７、補助入出力装置５によって読み出し、あるいは、書き込みが可能であって、上述の表示方法を実現するプログラムなどを記憶保存し得る記録媒体８を備えている。
【００５６】
２次元画面３には、合成配置画像などが表示されるが、この２次元画面３上に表示された要素を、マウス４Ａを用いて選択したりすることができる。
【００５７】
記憶部６は、ハードディスクなどで構成され、データを書き換え可能に保存記憶することができ、歯顎顔面領域を含むＸ線吸収係数の３次元分布情報を記憶する分布情報メモリ６ａと再構成された断層面画像や得られた種々の画像データなどを記憶する画像メモリ６ｂとを備えている。
【００５８】
画像生成手段７の機能は、実際には、記憶部６に記憶されたプログラムに基づき、中央処理装置１によって関連機器が制御されることによって実現される。
【００５９】
記録媒体８は、ＣＤ−ＲＯＭ、ＣＤ−Ｒ、ＣＤ−ＲＷ、ＭＯ、ＤＶＤ、ＤＶＤ−Ｒ、ＤＶＤ−ＲＡＭなど書き換え可能な、また、書き換え可能でない種々の記録媒体が含まれる。
【００６０】
このＸ線画像の表示装置１０は、このような構成によって、記憶部６に保存された上記Ｘ線パノラマ画像の表示方法を実現するプログラムに従って、分布情報メモリ６ａに保存された歯顎顔面領域を含むＸ線吸収係数の３次元分布情報を再構成して、Ｘ線パノラマ画像とその部分画像とで構成される合成配置画像や、この合成配置画像で選択された部分画像の種々の拡大画像の表示、これらの画像の拡大や縮小の表示、配置変更の表示をすることができる。
【００６１】
上記Ｘ線パノラマ画像の表示方法を実現するプログラムは、記録媒体８に記録保存されたものを読み取って、記憶部６に保存して、実行可能とすることができる。同様に、本発明のＸ線画像の表示方法を実現するプログラムを記録した記録媒体８は、この表示装置１０だけでなく、同様の構成の装置であって、この記録媒体８の内容を読み込み、実現可能な装置に装填することで同様の効果を発揮するものである。
【００６２】
図８は、本発明のＸ線画像表示の手順を示すフローチャートである。
【００６３】
このフローチャートは、Ｘ線画像表示の手順の主要な部分を示したもので、まず、パノラマ画像ＩＰが２次元画面の中央部に表示され（Ｓ１）、ついで部分画像ＩＳが、このパノラマ画像ＩＰの周りに解剖学的な配置に従って表示される（Ｓ２）。この表示例は、図１、図５に示すものである。
【００６４】
ここで、部分画像の選択の有無が判断され（Ｓ３）、選択があれば、選択画像の拡大表示がなされる（Ｓ４）。この場合、倍率や、表示される画像の種類を選択することができる。この表示例は、図２、４に示すものである。また、図３で説明したように、重なりなしモードを選んで、選択されていない画像の縮小表示をさせることもできる（Ｓ５）。この表示例は、図３に示すものである。
【００６５】
この表示状態で、例えば、ＥＳＣキー（エスケープキー）などの操作により表示終了を判断して（Ｓ６）、表示を終了する（Ｓ７）。
【００６６】
このような手順で、本発明のＸ線画像表示が実現されている。
【００６７】
【発明の効果】
請求項１に記載の歯顎顔面領域のＸ線画像の表示方法によれば、歯顎顔面領域のＸ線パノラマ画像だけでなく、その周りに歯顎顔面領域の部分画像を解剖学的な配置に従って複数配置して表示するので、これらの部分画像が、この歯顎顔面領域の分割態様を示し、この部分画像から関連する画像を選択する際のインデックスとなり、関連する画像の参照が視覚的に把握しやすいものとなる。
また、部分画像として、通常の歯科診療の際に最も普通に参照される歯牙の植え立て部位の画像を採用しているので、歯科診療に好適である。
【００６８】
請求項２に記載の歯顎顔面領域のＸ線画像の表示方法によれば、請求項１の効果に加え、部分画像をクリックなどして選択することによって、この部分画像を拡大表示するようにしたので、歯顎顔面領域の全体画像の中から、希望の部分の拡大画像を、簡単に表示させることができる。
【００６９】
請求項３に記載の歯顎顔面領域のＸ線画像の表示方法によれば、請求項２の効果に加え、部分画像について拡大表示する際には、元の合成配置画像を縮小表示させるので、拡大された部分画像がより際だって表示され、画像の把握がし易くなる。
請求項４から６に記載の歯顎顔面領域のＸ線画像の表示装置によれば、それぞれ請求項１から３に記載の表示方法を実現するもので、それぞれ請求項１から３と同様の効果を発揮する。
【００７０】
請求項７から９に記載の記録媒体によれば、それぞれ請求項１から３に記載の表示方法を実現するプログラムを記録したもので、この記録媒体の内容を読み込み、実現可能な装置に装填することで、それぞれ請求項１から３と同様の効果を発揮する。
【図面の簡単な説明】
【図１】  本発明のＸ線画像の表示方法によって表示された画面の一例を示す図
【図２】  本発明のＸ線画像の表示方法によって表示された画面の他例を示す図
【図３】  本発明のＸ線画像の表示方法によって表示された画面の他例を示す図
【図４】  本発明のＸ線画像の表示方法によって表示された画面の他例を示す図
【図５】  本発明のＸ線画像の表示方法によって表示された画面の他例を示す図
【図６】  本発明のＸ線画像の表示方法によって表示された画面の他例を示す図
【図７】  （ａ）本発明のＸ線画像の表示装置の一例を示す外観正面図、（ｂ）は要部ブロック図
【図８】  本発明のＸ線画像表示の手順を示すフローチャート
【符号の説明】
１          中央演算処理装置
２          入出力部
３          ２次元画面
４          キーボード／マウス
５          補助入出力装置
６          記憶部
６ａ        分布情報メモリ
６ｂ        画像メモリ
７          画像生成手段
８          記録媒体
１０          Ｘ線画像の表示装置
Ｉ          合成配置画像
ＩＰ        歯顎顔面領域のＸ線パノラマ画像
ＩＳ        歯顎顔面領域の部分画像
ＩＳａ      歯牙植え立て部位の画像
ＩＳＡ      歯牙植え立て部位の拡大画像
ＩＳｂ      顎関節部分の画像
ＩＳｂｏ    開口状態の画像
ＩＳｂｃ    閉口状態の画像
【図１】
0004043695.tif 000002
【図２】
0004043695.tif 000003
【図３】
0004043695.tif 000004
【図４】
0004043695.tif 000005
【図５】
0004043695.tif 000006
【図６】
0004043695.tif 000007
【図７】
0004043695.tif 000008
【図８】
0004043695.tif 000009